(57)【要約】【課題】  本体ケースの天面に天板を着脱可能に装着するものにおいて、天板の着脱作業を簡素化する事を目的とするものである。【解決手段】  有底箱状の本体ケースの天面に、周囲にフレーム枠を装着した天板を着脱可能に装着するものにおいて、フレーム枠の少なくとも前枠部を下方に折曲して断面コ字状に構成すると共に、本体ケースの前板の上端部に前枠部内に係入するフックを一体的に形成し、このフックを前枠部内に係入した後、フレーム枠の後部を上面側から本体ケースにビス固定した事を特徴として成る。【選択図】        図４
2006010118.tif 000002
【特許請求の範囲】
【請求項１】
有底箱状の本体ケースの上面に、周囲にフレーム枠を装着した天板を着脱可能に装着するものにおいて、上記フレーム枠の少なくとも前枠部を下方に折曲して断面コ字状に構成すると共に、上記本体ケースの前板の上端部に上記前枠部内に係入するフックを一体的に形成し、このフックを前枠部内に係入した後、上記フレーム枠の後部を上面側から本体ケースにビス固定した事を特徴とする加熱調理器。
【請求項２】
上記フックを本体ケースの前板に一体に折曲形成した事を特徴とする、上記請求項１に記載の加熱調理器。
【請求項３】
上記フックを前板の左右両端部付近に形成すると共に、上記前枠のフック間に位置して操作部用の窓孔を穿孔した事を特徴とする、上記請求項１〜２に記載の加熱調理器。
【請求項４】
上記フックを前板の左右両端部付近に形成すると共に、上記前枠のフック間に位置して収納用の凹溝を一体に形成した事を特徴とする、上記請求項１〜２に記載の加熱調理器。
【発明の詳細な説明】
【技術分野】
【０００１】
本発明は、調理器本体の上面に被調理物を載置して加熱する耐熱ガラス製等の天板を装着し、かつこの天板をフレーム枠により調理器本体に着脱可能に装着した加熱調理器に関する。
【背景技術】
【０００２】
調理器本体の天面に鍋等の被調理物を載置する耐熱ガラス製の天板を装着し、この天板の下方に誘導加熱コイルやヒータ等の熱源を配設した加熱調理器では、例えば特許文献１に示される様に、上記天板をフレーム１２によってトップヒータ部２１に着脱可能に固定している。
【特許文献１】特開２００２−１６２０４３号公報
【発明の開示】
【発明が解決しようとする課題】
【０００３】
一方、上記特許文献１に記載の構成では、フレーム１２の前方部を器具の前面よりビスにより固定した後、固定部分の前面に飾り枠４２を装着し、この飾り枠により固定部分を隠す様に構成している為、ビスの固定作業や飾り枠の着脱作業が必要となり、取り付け作業に長時間を要するという問題がある。
【０００４】
そこで本発明は、比較的短時間にて天板の固定作業を行い得る様に構成する事を目的とする。
【課題を解決するための手段】
【０００５】
本発明の請求項１の構成は、有底箱状の本体ケースの天面に、周囲にフレーム枠を装着した天板を着脱可能に装着するものにおいて、フレーム枠の少なくとも前枠部を下方に折曲して断面コ字状に構成すると共に、本体ケースの前板の上端部に前枠部内に係入するフックを一体的に形成し、このフックを前枠部内に係入した後、フレーム枠の後部を上面側から本体ケースにビス固定して成るものである。
【０００６】
本発明の請求項２の構成は、請求項１の構成において、フックを本体ケースの前板に一体に折曲形成して成るものである。
【０００７】
本発明の請求項３の構成は、請求項１〜２の構成において、フックを前板の左右両端部付近に形成すると共に、前枠のフック間に位置して操作部用の窓孔を穿孔して成るものである。
【０００８】
本発明の請求項４の構成は、請求項１〜２の構成において、フックを前板の左右両端部付近に形成すると共に、前枠のフック間に位置して収納用の凹溝を一体に形成して成るものである。
【発明の効果】
【０００９】
本発明の請求項１に記載の構成により、天板をフレーム枠により本体ケースの上面に固定するものにおいて、本体ケースの前部にフレーム枠に係止するフックを設け、このフックにてフレーム枠の前部を本体ケースに係止し、フレーム枠の後部を上面より本体ケースにビス固定する様に構成したことで、フレーム枠のビスによる固定作業が減少し、天板の固定作業に要する時間を大幅に短縮する事が出来るものである。
【００１０】
本発明の請求項２に記載の構成により、フックを本体ケースの前板に一体成形したことで、フックを前板とは別部品として製作する必要がなく、フックの前板への固定作業や、フックの部品管理が不要となり、トータルコストを低減する事が出来るものである。
【００１１】
本発明の請求項３に記載の構成により、フックを前板の左右両端部に設けたことで、フレーム枠の前枠中央部分に天面操作用の窓枠を配置する事が可能となり、設計時の自由度を向上する事が出来るものである。
【００１２】
本発明の請求項４に記載の構成により、フックを前板の左右両端部に設け、フレーム枠の前枠中央部分に小物収納用の凹溝を設けたことで、調理時等にこの凹溝を利用して箸やスプーン等の小物類を仮置きすれば、使い勝手を向上する事が出来るものである。
【発明を実施するための最良の形態】
【００１３】
本発明による実施例を先ず図１に基づき説明すると、１は例えばシステムキッチン等にドロップイン方式にて組み込まれて使用される電磁調理器の調理器本体で、上面に耐熱ガラス製の天板２を装着していると共に、この天板の下方内部に熱源となる左右一対の誘導加熱コイル３，４とラジエントヒータ５を内蔵している。
【００１４】
一方、上記電磁調理器本体１の前面右側には操作パネル６を配設していると共に、この操作パネルの左側にはグリル７用のグリル扉８を引き出し自在に配設し、かつ、上記操作パネル６には、シーソー式の電源スイッチ９、複数の操作キー１０・・やプッシュプッシュ式の操作摘み１１・・等を配設している。尚、上記操作摘み１１・・は、プッシュ操作により引き出すと誘導加熱コイル３，４やラジエントヒータ５への通電を開始し、押し込むと運転を停止し、引き出し位置で回転操作すると火力や調理時間、調理温度等を設定する様に構成している。
【００１５】
又、上記天板２の外周縁をフレーム枠１２により押圧固定していると共に、このフレーム枠の前枠部１３天面には操作窓１４を穿孔し、この操作窓内に非接触式のタッチキーにて構成した操作部１５を配置し、かつフレーム枠１２の後端部上面には左右一対の吸排気カバー１６，１６を着脱自在に装着している。
【００１６】
一方、上記調理器本体１は、図３にても示す様に、金属板にて形成した有底箱状の本体ケース２１にて外枠を構成し、この本体ケースの前板２２上端に水平面２３を前方に向けて一体に折曲形成し、かつこの水平面の左右両端部に一対の鉤状のフック２４，２４を一体に折曲形成している。
【００１７】
上記の様に、フック２４，２４を前板２２の左右両端部に一体形成したことで、フック２４，２４を別部材で構成した場合に比較し、フック２４，２４を前板２２に固定する作業や、固定用の加工や部品が不要となり、材料費や加工費を削減できると共に、前枠部１３のフック２４，２４間に操作窓１４を配置して天面操作を行う事も可能となり、設計時の選択性を拡げる事が出来るものである。
【００１８】
更に上記フレーム枠１２の前枠部１３には、図４にても示す様に底枠１７を一体に折曲形成して断面コ字状の係入溝１８を形成し、この係入溝内に上記フック２４，２４の先端を係入することで、フレーム枠１２の先端を固定する様に構成している。
【００１９】
従って、上記天板２の固定に際しては、この天板にフレーム枠１２を固定してセット化した後、フレーム枠１２の係入溝１８をフック２４，２４の先端に対向位置して後方にスライドさせ、係入溝１８内にフック２４，２４の先端を係入させた後、図５にて示す様にフレーム枠１２の後端部を複数のビス２５・・により上面から固定することで、簡単かつ確実に天板２を調理器本体１の天面に装着出来るものである。
【００２０】
尚、上記天板２を取り外す場合には、上記とは逆に吸排気カバー１６，１６を外した後ビス２５・・を緩めて取り外し、フレーム枠１２を前方にスライドして係入溝１８とフック２４，２４の係合を外す事で簡単に行え、これにより修理等に要する時間を短縮出来るものである。
【００２１】
上記操作部１５は、ガラス板の表面又は裏面に火力キー２６・・、湯沸しキー２７、揚げ物キー２８等のタッチ領域を印刷により配置し、これら各キーへの入力操作は、ガラス板の裏面に配置した図示しない操作用回路基板により行い、この操作用回路基板にて、上記タッチ領域への指等の接触による静電容量の変化により入力操作を検出する様に構成している。
【００２２】
図６は本発明の他の実施例を示すもので、フレーム枠１２の前枠部１３天面に凹溝２９を一体に折曲形成し、この凹溝内に箸やスプーン等の調理に用いる小物を収納する様に構成しており、これにより、天面操作を用いない場合にもフレーム枠１２の前枠部１３を有効的に利用し、使い勝手を向上する事が出来るものである。
【図面の簡単な説明】
【００２３】
【図１】本発明の実施例を示す斜視図である。
【図２】同じく要部の平面図である。
【図３】同じく天板を取り外した状態の実施例を示す斜視図である。
【図４】同じく要部の一部を破断した斜視図である。
【図５】同じく吸排気カバーを外した状態を示す斜視図である。
【図６】本発明の他の実施例を示す要部の側面縦断面図である。
【符号の説明】
【００２４】
２    天板
１２  フレーム枠
１３  前枠部
２２  前板
２４  フック
２５  ビス
２９  凹溝
【図１】
2006010118.tif 000003
【図２】
2006010118.tif 000004
【図３】
2006010118.tif 000005
【図４】
2006010118.tif 000006
【図５】
2006010118.tif 000007
【図６】
2006010118.tif 000008